(57)【要約】【課題】操作の強度や速度を検出する機能を有さない従来の操作入力装置の出力に基づいて、入力操作の態様に応じた操作反応を与える携帯電話端末を提供する。【解決手段】携帯電話端末１は、操作入力に基づく操作入力通知２０と、操作入力通知２０に基づいて情報を表示するアプリケーション実行手段５における表示変化を示す表示変化通知５０を受け付けて、操作入力に対する操作反応を指示する操作反応指示４０を出力する操作反応出力手段４を備え、操作反応出力手段４は操作入力通知２０の時間間隔と表示変化通知５０が示す表示変化量に基づいて操作反応指示４０を決定する。【選択図】図１
2006301994.tif 000002
【特許請求の範囲】
【請求項１】
操作入力に基づく操作入力通知を受け付けて、前記操作入力に対する反応を指示する操作反応指示を出力する操作反応出力手段、を具備する操作反応出力装置において、
前記操作反応出力手段は、前回の前記操作入力通知と今回の前記操作入力通知との時間間隔に基づいて前記操作入力通知ごとに前記操作反応指示を決定することを特徴とする操作反応出力装置。
【請求項２】
請求項１記載の操作反応出力装置であって、
前記操作反応出力手段は、前記操作入力通知に基づいて情報を表示するアプリケーション実行手段における表示変化を示す表示変化通知を受け付け、
前記操作反応出力手段は、前記表示変化通知に基づいて前記操作反応指示を決定することを特徴とする操作反応出力装置。
【請求項３】
請求項１ないし２のいずれか一項記載の操作反応出力装置と、前記操作入力通知の時間を計測する計時手段と、前記時間間隔と前記操作反応指示との対応関係を記憶する記憶素子を具備する情報端末。
【請求項４】
請求項１ないし２のいずれか一項記載の操作反応出力装置と、前記操作入力通知の時間を計測する計時手段と、前記時間間隔と前記操作反応指示との対応関係を記憶する記憶素子と、前記操作入力を受け付ける操作入力装置と、前記操作反応指示に基づいて表示を行う表示装置とを具備する携帯型情報端末。
【請求項５】
請求項１ないし２のいずれか一項記載の操作反応出力装置と、前記操作入力通知の時間を計測する計時手段と、前記時間間隔と前記操作反応指示との対応関係を記憶する記憶素子と、前記操作入力を受け付ける操作入力装置および音声入力装置と、前記操作反応指示に基づいて表示を行う表示装置と、前記操作反応指示に基づいて音声を出力する音声出力装置と、前記操作反応指示に基づいて振動するバイブレータとを具備する携帯型情報端末。
【発明の詳細な説明】
【技術分野】
【０００１】
本発明は、利用者の操作入力に対して操作反応を出力する装置に関する。
【背景技術】
【０００２】
携帯電話端末は近年高機能化してきており、様々なアプリケーションを携帯電話端末上で実行することができるものが主流となっている。携帯電話端末上で実行できるアプリケーションには、例えばｗｅｂブラウザやメールアプリのように、テンキー等の操作子を介して利用者と携帯電話端末との間で対話的に処理を進めていくものが含まれる。現在普及している携帯電話端末のテンキー操作においては、キー押下時にビープ音等の音が操作のスピード等の態様によらず単調に出力されるのみであり、変化に乏しいものである。利用者と携帯電話端末との対話において、利用者による入力操作の態様に応じて携帯電話端末がリアルなフィードバックを利用者に与えることができれば、アプリケーション利用における娯楽性が現在よりも高まる。
【０００３】
従来より、情報機器と利用者とが対話する際、利用者の入力操作の態様に応じたフィードバックを与えるために音などによる操作反応を出力する装置が提案されてきた。
【０００４】
たとえば特許文献１に開示された操作反応音生成装置は、操作の強度や操作の速度から操作パラメータを取得し、それらに基づいて操作反応音を出力するものである。この発明によれば、たとえば利用者がキーを押下するときの強さや速度の違いに応じて操作反応を変化させることができる。
【０００５】
また、特許文献２に開示されたキーボードは、キーの押し下げ圧力、押し下げ速度、押し下げ深さを複数段階に感知するセンサを備えたものである。この発明によれば、利用者がキーを押下するときの強さや速度や深さを操作パラメータとして出力することができるので、たとえば特許文献１に開示された操作反応音生成装置の入力装置として用いることにより、利用者がキーを押下するときの強さや速度や深さの違いに応じて操作反応を変化させることができる。
【特許文献１】特開２００１−５１７５９公報
【特許文献２】特開平９−３０５２８６公報
【発明の開示】
【発明が解決しようとする課題】
【０００６】
しかしながら、特許文献１に開示された装置においては、操作の強度または速度を検出する機能を有する入力装置が必要であるが、現在の携帯電話が備えるテンキー等の操作入力装置はそのような機能をもたないという問題があった。また、特許文献２に開示されたキーボードは、従来の携帯電話のテンキーよりも機構が複雑であるため、このキーボードを操作入力装置として利用すると端末全体の重量やコストの増加を招いてしまうという問題があった。
【０００７】
本発明は、上記従来の課題を解決するものであり、操作入力の強度や速度を検知する機能を備えない従来の操作入力装置の出力に基づいて、入力操作の態様に応じた操作反応を与えることのできる操作反応出力装置を提供することを目的とする。
【課題を解決するための手段】
【０００８】
前記従来の課題を解決するために、本発明の操作反応出力装置は、操作入力に基づく操作入力通知を受け付けて、前記操作入力に対する反応を指示する操作反応指示を出力する操作反応出力手段を具備し、前回の前記操作入力通知と今回の前記操作入力通知との時間間隔に基づいて前記操作入力通知ごとに前記操作反応指示を決定することを特徴とする。
【０００９】
上記構成によれば、操作入力の時間間隔に基づいて操作反応を変化させることができるので、操作入力の強度や速度を検知する機能を備えない従来の操作入力装置を用いて、入力操作の態様に応じた操作反応を与えることができる。
【００１０】
また本発明の操作反応出力装置は、前記操作入力通知に基づいて情報を表示するアプリケーション実行手段における表示変化を示す表示変化通知を受け付け、前記表示変化通知に基づいて前記操作反応指示を決定することを特徴とする。
【００１１】
上記構成によれば、操作入力に基づいて利用者に提示される表示の変化に応じて操作反応を変化させることができるので、操作入力の強度や速度を検知する機能を備えない従来の操作入力装置を用いて、入力操作の態様に応じた、よりリアルな操作反応を与えることができる。
【００１２】
また本発明の操作反応出力装置と、操作入力通知の時間を計測する計時手段と、時間間隔と操作反応指示との対応関係を記憶する記憶素子を具備する情報端末を構成する。
【００１３】
上記構成によれば、操作入力の強度や速度を検知する機能を備えない従来の操作入力装置を用いて、入力操作の態様に応じた操作反応を与えることができる情報端末を提供することができる。
【００１４】
また本発明の操作反応出力装置と、操作入力通知の時間を計測する計時手段と、時間間隔と操作反応指示との対応関係を記憶する記憶素子と、操作入力を受け付ける操作入力装置と、操作反応指示に基づいて表示を行う表示装置とを具備する携帯型情報端末を構成する。
【００１５】
上記構成によれば、操作入力の強度や速度を検知する機能を備えない従来の操作入力装置を用いて、入力操作の態様に応じた操作反応を与えることができる携帯型情報端末を提供することができる。
【００１６】
また、本発明の操作反応出力装置と、操作入力通知の時間を計測する計時手段と、時間間隔と操作反応指示との対応関係を記憶する記憶素子と、操作入力を受け付ける操作入力装置および音声入力装置と、操作反応指示に基づいて表示を行う表示装置と、操作反応指示に基づいて音声を出力する音声出力装置と、操作反応指示に基づいて振動するバイブレータとを具備する携帯電話端末を構成する。
【００１７】
上記構成によれば、操作入力の強度や速度を検知する機能を備えない従来の操作入力装置を用いて、入力操作の態様に応じた操作反応を与えることができる携帯型情報端末を提供することができる。
【発明の効果】
【００１８】
本発明によれば、操作入力の時間間隔に基づいて操作反応指示を決定するので、操作入力の強度や速度を検知する機能を備えない従来の操作入力装置を用いて、入力操作の態様に応じた操作反応を与えることができる。
【発明を実施するための最良の形態】
【００１９】
本発明の操作反応出力装置は、ユーザーが入力操作装置を操作した時間間隔と、アプリケーションによって変化した表示状態に基づいて、音やＬＥＤ、バイブレーションなどによって、ユーザーに操作反応を返すものである。
【００２０】
以下本発明を実施するための最良の形態について、図面を参照しながら説明する。なお、実施の形態を説明するための全図において、同一の構成要素には同一符号を付与し、重複する説明は省略する。
【００２１】
図１は、本発明の実施の形態における操作反応出力装置１０の概略構成図である。図１において、操作反応出力装置１０は操作反応出力手段４、アプリケーション実行手段５を備え、操作入力装置２、出力装置６が接続されている。本発明の実施の形態における操作反応出力装置１０は携帯電話端末１の一部を構成する。
【００２２】
アプリケーション実行手段５は、操作入力に基づく操作入力通知２０を受け付けて情報を表示するアプリケーションを実行し、表示の変化を示す表示変化通知５０を出力する。アプリケーション実行手段５が実行するアプリケーションには、メール、チャット、ｗｅｂブラウザ等の対話的に処理を進めていくアプリケーションが含まれる。
【００２３】
操作反応出力手段４は、操作入力通知２０と表示変化通知５０に基づいて操作入力に対する操作反応を指示する操作反応指示４０を出力する。このとき操作反応出力手段４は、操作入力通知２０の時間間隔、および表示変化通知５０に基づいて操作反応を決定する。
【００２４】
操作入力装置２はキーやボタン、マイクなどから構成され、ユーザーの操作入力を受け付け、操作入力通知２０を操作反応出力手段４に通知する。
【００２５】
出力装置６はスピーカーなどの音声出力装置、バイブレーターなどの振動子、ＬＥＤ（Ｌｉｇｈｔ  Ｅｍｉｔｔｉｎｇ  Ｄｉｏｄｅ）などの表示装置で構成され、操作反応指示４０に基づいて、音、光、画像、振動などを出力する。
【００２６】
なお、本発明の実施の形態において「操作入力」とは、キーやボタン等の操作子の押下または離反を指す。また、本発明の実施の形態において「操作反応」とは、操作入力に対する反応として操作入力ごとに出力される音、光、振動を指す。また、本発明の実施の形態において「操作反応を決定する」という記述は、操作反応の内容を決定することと、操作反応を出力するかしないかを決定すること、の両方の意味を持つものとする。
【００２７】
図２は、本発明の実施の形態の操作反応出力装置１０を搭載した携帯電話端末１の構成図である。図２において携帯電話端末１は入力デバイス管理部２１、十字キー２２、テンキー２３、マイク２４、計時手段３、操作反応パターン蓄積手段４１、ウインドウ管理部５１、メールアプリ５２、出力デバイス管理部６１、スピーカー６２、バイブレータ６３、第１ＬＥＤ６４、第２ＬＥＤ６５、表示デバイス管理部７１、ＬＣＤ（Ｌｉｑｕｉｄ  Ｃｒｙｓｔａｌ  Ｄｉｓｐｌａｙ）７２、無線通信部８を備える。
【００２８】
十字キー２２は、上下左右方向の操作入力を受け付けて入力デバイス管理部２１へ通知する操作入力装置である。テンキー２３は、押下または離反の操作入力を受け付けて入力デバイス管理部２１へ通知する操作入力装置である。マイク２４は、音声を受け付けて電気信号に変換し音声信号として出力する音声入力装置である。
【００２９】
入力デバイス管理部２１は、十字キー２２、テンキー２３、マイク２４を管理する部分である。入力デバイス管理部２１は、十字キー２２およびテンキー２３が通知した操作入力の内容を受け付けて操作入力通知２０を出力する。また、入力デバイス管理部２１は、マイク２４から音声信号を受け付けて送話信号２４０を出力する。入力デバイス管理部２１は、ＣＰＵ（図示せず）上で動作するデバイスドライバ等で構成される。
【００３０】
計時手段３は、時間を計測して現在時刻を示す時間情報３０を出力する。操作反応パターン蓄積手段４１は操作反応を決定するための情報を記憶素子（図示せず）上に蓄積する。操作反応出力手段４は、操作反応パターン蓄積手段４１の蓄積内容および時間情報３０に基づいて操作反応指示４０を出力する。操作反応出力手段４は、ＣＰＵ（図示せず）上で動作するソフトウエアで構成される。操作反応パターン蓄積手段４１は、ＲＯＭ（Ｒｅａｄ  Ｏｎｌｙ  Ｍｅｍｏｒｙ）などの記憶素子で構成される。
【００３１】
ウインドウ管理部５１は、ウインドウの表示およびウインドウに対する操作入力イベントを管理する部分である。ウインドウ管理部５１は、アプリケーションの表示内容５２０を表示装置のための表示データ７０に変換して出力する。また、ウインドウ管理部５１は、操作入力通知２０を受け付けて文字列に変換し、入力文字列５１０をアプリケーションへ渡す。さらに、ウインドウ管理部５１は、表示データ７０の変化に基づいて表示変化通知５０を出力する。ウインドウ管理部５１は、ＣＰＵ（図示せず）上で動作するウインドウライブラリやウインドウマネージャ、文字入力のフロントエンドプロセッサ等で構成される。
【００３２】
メールアプリ５２は、電子メールの作成と送受信を対話的に行うためのアプリケーションである。メールアプリ５２は、入力文字列５１０を受け付けてメールデータを作成し、作成した内容を表示内容５２０として出力する。またメールアプリ５２は、作成完了したメールデータを送信メール８０１として出力する。またメールアプリ５２は、受信メール８０２の内容を表示内容５２０として出力する。
【００３３】
なお、ウインドウ管理部５１、メールアプリ５２は、図１におけるアプリケーション実行手段５に相当する。
【００３４】
スピーカー６２は、出力デバイス管理部６１が出力する音声信号を空気振動に変換して提示する音声出力装置である。バイブレータ６３は出力デバイス管理部６１の指示に基づいて振動を提示する。第１ＬＥＤ６４、第２ＬＥＤ６５は、出力デバイス管理部６１の指示に基づいて光の提示を行う。
【００３５】
出力デバイス管理部６１は、操作反応指示４０に基づいてバイブレータ６３、第１ＬＥＤ６４、第２ＬＥＤ６５に動作の指示を与える。また、出力デバイス管理部６１は、受話信号６２０を音声信号としてスピーカー６２へ出力する。さらに出力デバイス管理部６１は、スピーカー６２へ出力する音信号に残響等の特殊効果を付与する機能を備える。出力デバイス管理部６１は、ＣＰＵ（図示せず）上で動作するデバイスドライバやサウンドカード等で構成される。
【００３６】
ＬＣＤ７２は、表示デバイス管理部７１の指示に基づいて表示データ７０を視認可能に提示する表示装置である。表示デバイス管理部７１は、表示データ７０を受け付け、ＬＣＤ７２に表示の指示を与える。表示デバイス管理部７１は、ＶＲＡＭ等の記憶素子とＣＰＵ（図示せず）上で動作するデバイスドライバ等で構成される。
【００３７】
無線通信部８は、携帯電話端末１を無線通信回線（図示せず）と接続して通信を行う部分である。無線通信部８は、送信メール８０１を受け付けて無線通信回線へ送信し、無線通信回線から受信した受信メール８０２を出力する。また無線通信部８は、送話信号２４０を受け付けて無線通信回線へ送信し、無線通信回線から受信した受話信号６２０を出力する。
【００３８】
図３は、本発明の実施の形態における携帯電話端末１の外観を示す図である。ＬＣＤ７２は、表示データ７０を構成するウインドウ７０１、スクロールバー７０２を表示する。またＬＣＤ７２は、ウインドウ７０１内に、送信メール８０１または受信メール８０２の内容である表示内容５２０を表示する。利用者はテンキー２３を操作することにより、送信メール８０１を作成することができるようになっている。また、利用者は十字キー２２を操作することにより、受信メール８０２をスクロールさせながら閲覧することができるようになっている。
【００３９】
図４は、本発明の実施の形態における携帯電話端末１の、操作反応パターン蓄積手段４１が保持している操作反応パターン表Ｔ４１０の内容を示す図である。操作反応パターン表Ｔ４１０は、操作反応出力手段４が操作反応を決定するために参照する情報である。操作反応パターン表Ｔ４１０は、操作入力通知２０の時間間隔ｔの条件（Ｆ１１０、Ｆ１２０、Ｆ１３０）と、表示変化通知５０に含まれる表示変化量Ｎの条件（Ｆ１０１、Ｆ１０２）との組合せごとに、出力すべき操作反応指示４０の内容（Ｆ１１１、Ｆ１２１、Ｆ１３１、Ｆ１１２、Ｆ１２２、Ｆ１３２）を格納した表形式のデータである。
【００４０】
図５は、本発明の実施の形態における携帯電話端末１の、操作反応出力手段４が操作入力通知２０または表示変化通知５０を受け取った時の処理手順を表すフローチャートである。
【００４１】
図５において、操作反応出力手段４はステップＳ１００１において、受信した通知が操作入力手段からの操作入力通知２０であった場合はステップＳ１００２へ進み、ウィンドウ管理部からの表示変化通知５０であった場合はステップＳ１００４に進む。操作入力通知２０を受信した操作反応出力手段４は、ステップＳ１００２において、計時手段より時間情報３０を取得する。ステップＳ１００３において、操作反応出力手段４は前回取得した時間情報３０と今回取得した時間情報との差分より、操作入力通知の時間間隔を計算する。
【００４２】
表示変化通知５０を受信した操作反応出力手段４は、ステップＳ１００４において、表示変化通知５０から表示変化量を取得し、ステップＳ１００５に進む。ステップＳ１００５において、ステップＳ１００４で取得した表示変化量と、操作入力通知２０を受信したときにステップＳ１００３にて計算した操作入力通知の時間間隔を基に、図４の操作反応パターン表Ｔ４１０を参照して、操作反応指示を選択する。その後、操作反応出力手段４は選択した操作反応指示を出力手段６に出力する。
【００４３】
図６は、本発明の実施の形態における携帯電話端末１の、テンキー２３から文字を入力した際のウインドウ７０１の表示例を示す図である。ウインドウ７０１は、カーソル７０３を備え、操作入力によって入力された文字列をカーソル７０３の位置に順次表示するようになっている。
【００４４】
図７は、本発明の実施の形態における携帯電話端末１の、テンキー２３から文字を入力した際の操作反応出力例を説明する図である。図７（ａ）は、操作入力の例を示す図であり、テンキー２３の押下による操作入力（Ｋ２０１〜Ｋ２０９）と、入力デバイス管理部２１が出力する操作入力通知２０（Ｄ２０１〜Ｄ２０９）を示している。図７（ａ）の操作入力（Ｋ２０１〜Ｋ２０９）には、テンキー２３の表面に印刷されている文字を記してあり、押下されたキーとの対応がわかるようにしてある。横軸は計時手段３が出力する時間情報３０が示す時刻（ｔ３００〜ｔ３０９）を示している。
【００４５】
図７（ｂ）は、図７（ａ）に示す操作入力に基づいてＬＣＤ７２がカーソル７０３の位置に表示する文字（Ｋ５０１〜Ｋ５０９）と、表示変化通知５０（Ｄ５０１〜Ｄ５０９）を示す図である。ここで、表示変化通知５０（Ｄ５０１〜Ｄ５０９）の縦方向の長さは表示変化量Ｎを表している。
【００４６】
図７（ｃ）は、図７（ａ）に示す操作入力に対する操作反応として、スピーカー６２が提示する音出力（Ａ２０１〜Ａ２０９）、第１ＬＥＤ６４の点灯状態（Ｌ２０４〜Ｌ２０８）、第２ＬＥＤ６５の点灯状態（Ｍ２０４〜Ｍ２０９）、バイブレータ６３が提示する振動（Ｖ２０４〜Ｖ２０７）を示す図である。ここで、音出力（Ａ２０１〜Ａ２０９）に記されたアルファベット「ｄ」、「ｍ」、「ｐ」、「ｂ」は、出力される音の種類を表している。また、ＬＥＤの点灯状態（Ｌ２０４〜Ｌ２０８、Ｍ２０４〜Ｍ２０９）に記されたアルファベット「ｇ」、「ｒ」は光の色がそれぞれ緑、赤であることを表している。また、振動（Ｖ２０４〜Ｖ２０７）に記されたアルファベット「ｖ」はバイブレータがオンになっていることを表している。
【００４７】
以下、図２、図４〜７を用いて本発明の実施の形態における携帯電話端末１において、「たまごは」とユーザーが入力を行った際の動作を詳細に説明する。
【００４８】
図６（ａ）に示す表示状態において、テンキー２３の「た」が押下されたとすると（図７（ａ）Ｋ２０１）、入力デバイス管理部２１はキー「た」が押下されたことを示す操作入力通知Ｄ２０１を時刻ｔ３０１において出力する。ウインドウ管理部５１は操作入力通知Ｄ２０１を受け付けて、カーソル７０３の位置に文字「た」を表示するために表示データ７０を出力する（図７（ｂ）Ｋ５０１）。またウインドウ管理部５１は、１文字分の表示が変化したので、時刻ｔ３０１’において表示変化量Ｎ＝１を示す表示変化通知Ｄ５０１を出力する。
【００４９】
操作反応出力手段４は、まず時刻ｔ３０１において操作入力通知Ｄ２０１を受け付けて図５に示すフローチャートの処理を開始する。ステップＳ１００１の判断では、通知の種別が操作入力通知であることからステップＳ１００２へ進む。ステップＳ１００２で操作反応出力手段４は計時手段３から時間情報３０を取得し、時刻ｔ３０１を得る。ステップＳ１００３で、操作反応出力手段４は前回取得した時間情報（時刻ｔ３００）と今回取得した時間情報（時刻ｔ３０１）との差から操作入力通知の時間間隔ｔ＝２．０秒を得る。
【００５０】
操作反応出力手段４は、次に時刻ｔ３０１’において表示変化通知Ｄ５０１を受け付けて再び図５に示すフローチャートの処理を開始する。ステップＳ１００１の判断では、通知の種別が表示変化通知であることからステップＳ１００４へ進む。操作反応出力手段４はステップＳ１００４において、表示変化通知Ｄ５０１から表示変化量Ｎを取得し、ステップＳ１００５に進む。操作反応出力手段４は、ステップＳ１００５において操作反応パターン表Ｔ４１０（図４）を参照し、時間間隔ｔ＝２．０および表示変化量Ｎ＝１に合致する操作反応指示４０の内容を選択する。ｔ≧１．０（Ｆ１１０）とＮ＜１０（Ｆ１０１）がそれぞれに合致するので、操作反応出力手段４は「ＳＯＵＮＤ：ｄｅｆａｕｌｔ，ＳＦＸ：ｏｆｆ，ＬＥＤ：ｏｆｆ，ＶＩＢＲＡＴＯＲ：ｏｆｆ」（Ｆ１１１）を選択し、ステップＳ１００６でこれを操作反応指示４０として出力する。
【００５１】
出力デバイス管理部６１は、操作反応出力Ｆ１１１を受け付け、操作反応出力Ｆ１１１に従ってスピーカー６２、バイブレータ６３、第１ＬＥＤ６４、第２ＬＥＤ６５を制御する。まず、音出力内容を表す記述「ＳＯＵＮＤ」の右辺が「ｄｅｆａｕｌｔ」であることから、出力デバイス管理部６１はスピーカー６２へデフォルトの操作音（Ａ２０１）を出力する。ここで言う「デフォルトの操作音」とは、あらかじめ利用者が設定メニュー等を用いて選択した操作音（たとえば０．１秒間鳴動する２ｋＨｚの正弦波によるビープ音）を意味する。
【００５２】
また出力デバイス管理部６１は、特殊効果の付与を表す記述「ＳＦＸ」の右辺が「ｏｆｆ」であることから、出力音に特殊効果を与えずにそのまま出力する。また出力デバイス管理部６１は、ＬＥＤの点灯を表す「ＬＥＤ」の右辺が「ｏｆｆ」であることから第１ＬＥＤ６４、第２ＬＥＤ６５ともに点灯しない。また出力デバイス管理部６１は、バイブレータの振動を表す「ＶＩＢＲＡＴＯＲ」の右辺が「ｏｆｆ」であることから、バイブレータ６３の駆動を行わない。
【００５３】
同様の処理により、携帯電話端末１は、操作入力Ｋ２０２〜Ｋ２０３に対してデフォルトの操作音Ａ２０２〜Ａ２０３のみを操作反応として出力する。
【００５４】
操作入力Ｋ２０４〜Ｋ２０７は、文字「こ」を表示するためにテンキー２３「か」が連打されている部分である。操作入力Ｋ２０４〜Ｋ２０７において、操作入力によって生じる表示変化Ｄ５０４〜Ｄ５０７は、「か」から「き」、「き」から「く」、「く」から「け」、「け」から「こ」という１文字ずつの変化である。したがって、操作入力Ｋ２０４〜Ｋ２０７に基づく表示変化Ｄ５０４〜Ｄ５０７における表示変化量Ｎの値は、操作入力Ｋ２０１〜Ｋ２０３に基づくそれぞれの表示変化Ｄ５０１〜Ｄ５０３の場合と同じく１である。しかしながら、操作入力Ｋ２０４〜Ｋ２０７の時間間隔が操作入力Ｋ２０１〜Ｋ２０３とは異なり、ｔ＝０．２秒となっている。したがって、図５のステップＳ１００５の処理において操作反応出力手段４は操作反応パターン表Ｔ４１０に基づいて操作反応指示の内容「ＳＯＵＮＤ：ｍａｃｈｉｎｅｇｕｎ．ｗａｖ，ＳＦＸ：ｏｆｆ，ＬＥＤ：ａｌｔｅｒｎａｔｅ，ＶＩＢＲＡＴＯＲ：ｏｎ」（Ｆ１３１）を選択し、ステップＳ１００６でこれを操作反応指示４０として出力する。
【００５５】
ここで、「ｍａｃｈｉｎｅｇｕｎ．ｗａｖ」は機関銃の銃声の波形を格納したファイルの名称である。また、「ＬＥＤ：ａｌｔｅｒｎａｔｅ」は、第１ＬＥＤ６４、第２ＬＥＤ６５の発光色を交互に切り替えることを表している。また、「ＶＩＢＲＡＴＯＲ：ｏｎ」はバイブレータ６３を駆動することを表している。
【００５６】
以上の操作反応指示４０の出力により、操作反応としてスピーカー６２が機関銃の銃声を出力し（Ａ２０４〜Ａ２０７）、第１ＬＥＤ６４と第２ＬＥＤ６５が緑と赤に交互に点灯し（Ｌ２０４〜Ｌ２０７、Ｍ２０４〜Ｍ２０７）、バイブレータ６３が振動する（Ｖ２０４〜Ｖ２０７）。
【００５７】
操作入力Ｋ２０８は、文字「こ」に濁点「゛」を付与するためにテンキー２３「゛」が押下されている部分である。操作入力Ｋ２０８において、操作入力よって生じる表示変化Ｄ５０８は「こ」から「ご」への１文字の変化である。したがって、操作入力Ｋ２０８に基づく表示変化Ｋ５０８における表示変化量Ｎの値は、操作入力Ｋ２０１〜Ｋ２０７に基づく表示変化Ｄ５０１〜Ｄ５０７の場合と同じく１であるが、操作入力の時間間隔はｔ＝０．７秒となっている。したがって、図５のステップＳ１００５の処理において操作反応出力手段４は操作反応パターン表Ｔ４１０に基づいて操作反応指示の内容「ＳＯＵＮＤ：ｐｉｓｔｏｌ．ｗａｖ，ＳＦＸ：ｏｆｆ，ＬＥＤ：ＬＥＤ１＝ｇｒｅｅｎ，ＶＩＢＲＡＴＯＲ：ｏｆｆ」（Ｆ１２１）を選択し、ステップＳ１００６でこれを操作反応指示４０として出力する。
【００５８】
ここで、「ｐｉｓｔｏｌ．ｗａｖ」はピストルの銃声の波形を格納したファイルの名称である。また、「ＬＥＤ：ＬＥＤ１＝ｇｒｅｅｎ」は、第１ＬＥＤ６４を緑色に点灯することを表している。そして操作反応として、スピーカー６２がピストルの銃声を出力し（Ａ２０８）、第１ＬＥＤ６４が緑色に点灯する（Ｌ２０８）。
【００５９】
以上の操作入力（Ｋ２０１〜Ｋ２０８）の結果、図６（ｂ）に示すように、ウインドウ７０１内には文字列「たまご」（７０４）が表示され、カーソル７０３は最下行の右端に移動する。
【００６０】
ここで文字「は」を入力するための操作入力「Ｋ２０９」が行われると、図６（ｃ）に示すように、ウインドウ７０１の右端に文字「は」（７０５）が表示されるとともに表示全体が上方向へスクロールし、カーソル７０３が最下行の左端へ移動する。文字「は」（７０５）の表示とスクロールにより、表示データ７０にはウインドウ７０１全体にわたる６２文字分の表示変化が生じたので、ウインドウ管理部５１は図７（ｂ）の表示変化通知Ｄ５０９において表示変化量Ｎの値を６２と通知する。操作入力Ｋ２０９の時間間隔は操作入力Ｋ２０８の時間間隔と同じくｔ＝０．７秒であるが、表示変化通知Ｄ５０９の表示変化量Ｎ＝６２が表示変化通知Ｄ５０８の表示変化量Ｎ＝１と異なるため、操作反応出力手段４は操作入力Ｋ２０８に基づく操作反応とは異なる操作反応を決定する。すなわち、図５のステップＳ１００５の処理において操作反応出力手段４は操作反応パターン表Ｔ４１０に基づいて操作反応指示の内容「ＳＯＵＮＤ：ｂｕｌｌｅｔ．ｗａｖ，ＳＦＸ：ｒｅｖｅｒｂ，ＬＥＤ：ＬＥＤ２＝ｒｅｄ，ＶＩＢＲＡＴＯＲ：ｏｆｆ」（Ｆ１２２）を選択し、ステップＳ１００６でこれを操作反応指示４０として出力する。 
【００６１】
ここで、「ｂｕｌｌｅｔ．ｗａｖ」は銃弾がかすめたときの音（擬音「バキューン」の「キューン」に相当する部分）の波形を格納したファイルの名称である。また、「ＳＦＸ：ｒｅｖｅｒｂ」は出力音に残響の特殊効果を付与することを表している。また、「ＬＥＤ：ＬＥＤ２＝ｒｅｄ」は、第２ＬＥＤ６５を赤色に点灯することを表している。そして操作反応として、銃弾がかすめたときの音（Ａ２０９）に残響（斜線部分）が付与された音をスピーカー６２が出力し、第２ＬＥＤ６５が赤色に点灯する（Ｍ２０９）。
【００６２】
なお、仮に操作入力Ｋ２０９の時間間隔（時刻ｔ３０９とｔ３０８との差）がもっと短く、たとえば０．２秒であった場合には、操作反応出力手段４は操作反応パターン表Ｔ４１０に基づいて「ＳＯＵＮＤ：ｅｘｐｌｏｓｉｏｎ．ｗａｖ，ＳＦＸ：ｒｅｖｅｒｂ＋ｐａｎ，ＬＥＤ：ＬＥＤ２＝ｒｅｄ，ＶＩＢＲＡＴＯＲ：ｏｎ」（Ｆ１３２）を選択することになる。この場合、スピーカー６２が爆発音（ｅｘｐｌｏｓｉｏｎ．ｗａｖ）に残響（ｒｅｖｅｒｂ）と、三次元音響における仮想スピーカーの定位位置をウインドウ７０１のスクロール方向である上方向へ移動させる特殊効果（ｐａｎ）を付与した音を出力し、バイブレータ６３が振動する（ＶＩＢＲＡＴＯＲ：ｏｎ）ことになる。
【００６３】
以上説明したとおり、本発明の実施の形態における操作反応出力装置１０を搭載した携帯電話端末１は、操作入力に基づく操作入力通知２０の時間間隔が長い場合と短い場合とで、音、光、振動による操作反応が変化する。また、本発明の実施の形態における形態電話端末１は、操作入力に基づく操作入力通知２０の時間間隔が同じであっても、操作入力に基づく表示変化が多い場合と少ない場合とで、操作反応が変化する。
【００６４】
以上の説明から明らかなように、本発明の実施の形態における携帯電話端末は、操作入力の時間間隔、および操作入力に基づいて利用者に提示される表示の変化に応じて操作反応が変化するので、操作入力の強度や速度を検知する機能を備えない従来の操作入力装置を用いて、入力操作の態様に応じた操作反応を与えることができる。
【００６５】
なお、本発明の実施の形態において操作入力はテンキーの押下または離反によるものであるとしたが、操作を検知する入力装置を利用した操作入力であれば何であってもよく、たとえばキーの押下や離反、ボタンの押下や離反、鍵盤の押下や離反であってもよいし、スイッチやジョイスティックやデジタイザの操作であってもよいし、マウスの移動やドラッグやマウスボタンの押下やマウスボタンの離反やシングルクリックやダブルクリックやトリプルクリックであってもよいし、ジョグダイヤルやハンドルやつまみ等の回転操作子の操作であってもよいし、タッチパネル等の接触検出による操作であってもよいし、タブレット上での位置指定操作やペンのポイント操作や移動操作であってもよいし、発声の検出や音声認識を利用した操作であってもよいし、画像認識や筋電位検出や磁界検出や静電容量検出やデータスーツやデータグローブ等による身体の部分の変位による操作であってもよいし、可視光や赤外線や紫外線等の電磁波の照射や遮断による操作であってもよいし、可聴音や超音波や超低周波等の空気の振動の照射や遮断による操作であってもよいし、固体の振動による操作であってもよいし、呼気の吹付けによる操作であってもよいし、上顎と下顎の相対位置の変化による操作であってもよい。
【００６６】
なお、本発明の実施の形態において、音出力内容の違い、音出力に特殊効果を付与するか付与しないかの違い、点灯するＬＥＤの個数、ＬＥＤの色や点滅パターンの違い、によって操作反応を変化させるとしたが、これに限るものではなく、たとえば音量、音質、バランスの違いによって変化させてもよいし、音出力の立ち上がり時間や減衰時間や音の大きさを変化させてもよい。また、出力タイミングを変化させてもよいし、ＬＥＤの輝度や点滅周期を変化させてもよいし、輝度や色の変化スピードを変化させてもよい。特に操作入力の時間間隔が短い場合に音の大きさを小さくすると、ユーザーに煩わしさを感じさせることなく快適な操作感を与えることが出来、反対に入力の時間間隔が短い場合に音の大きさを大きくすると、ユーザの緊迫感の高まり具合に呼応した、より娯楽性のある操作感を与えることができる。
【００６７】
なお、本発明の実施の形態における操作反応は音または光または振動であるとしたが、認知可能な方法による提示であれば何であってもよく、たとえば動画等の画像による提示であってもよいし、身体の一部の圧迫や伸張や接触によるものであってもよいし、身体の表面に電流を流すものであってもよいし、風圧によるものであってもよいし、熱によるものであってもよい。
【００６８】
なお、本発明の実施の形態における操作入力の時間間隔はキー押下の時間間隔であるとしたが、これに限るものではなく、キー押下から離反までの時間間隔であってもよいし、キー離反からキー押下までの時間間隔であってもよいし、前回のキー離反から今回のキー離反までの時間間隔であってもよいし、Ｎ回前（Ｎ＞１）のキー押下またはＮ回前（Ｎ＞１）のキー離反から今回のキー押下までの時間間隔であってもよいし、Ｎ回前（Ｎ＞１）のキー押下またはＮ回前（Ｎ＞１）のキー離反から今回のキー離反までの時間間隔であってもよい。
【００６９】
なお、本発明の実施の形態において、操作入力の時間間隔は前回および今回の操作入力時の時刻を時間情報から取得してその差から求めるとしたが、これに限るものではなく、たとえば所定の時間間隔で出力される信号や通知をカウントすることにより操作入力の時間間隔を求めてもよい。
【００７０】
なお、本発明の実施の形態において、操作反応出力手段はソフトウエアであるとしたが、これに限るものではなく、たとえば電子回路や光素子等で構成されるハードウエアやファームウエアであってもよい。
【００７１】
なお、本発明の実施の形態において、操作反応出力手段は図５に示すフローチャートに基づいて動作するとしたが、これに限るものではない。
【００７２】
なお、本発明の実施の形態において、操作反応出力手段は図４に示す操作反応パターン表を参照して操作反応を決定するとしたが、これに限るものではなく、表以外のデータを参照して操作反応を決定してもよいし、操作反応の決定動作を記述したプログラムの実行によって操作反応を決定するようにしてもよい。
【００７３】
なお、本発明の実施の形態において、表示変化の量は文字数であるとしたが、これに限るものではなく、たとえば画素数であってもよいし、表示されるオブジェクトの数であってもよいし、明度または彩度または色相の変化量であってもよいし、ＲＧＢ値の変化量であってもよいし、それらを組み合わせたものであってもよい。
【００７４】
なお、本発明の実施の形態において、表示変化は文字の入力やスクロールによって生じる表示変化であるとしたが、これに限るものではなく、たとえば図形描画による表示変化であってもよいし、ＸＭＬやＨＴＭＬやスクリプト言語等で記述されたコンテンツに対するリンクやボタン選択等の操作による表示変化であってもよいし、画像や動画を含むコンテンツの再生操作による表示変化であってもよいし、ウインドウのサイズや形状の変化であってもよいし、ウインドウの個数変化であってもよい。
【産業上の利用可能性】
【００７５】
本発明の操作反応出力装置は、操作入力の強度や速度を検知する機能を備えない従来の操作入力装置を用いて入力操作の態様に応じた操作反応を与えることができるという効果を有し、利用者による入力操作に基づいて対話的に情報処理を行う情報機器に有用である。
【図面の簡単な説明】
【００７６】
【図１】本発明の実施の形態における携帯電話端末の概略構成図
【図２】本発明の実施の形態における携帯電話端末の詳細構成図
【図３】本発明の実施の形態における携帯電話端末の外観図
【図４】本発明の実施の形態における携帯電話端末の操作反応パターン表を示す図
【図５】本発明の実施の形態における携帯電話端末の操作反応出力手段のフローチャート
【図６】（ａ）本発明の実施の形態における携帯電話端末の第１の画面表示例の図（ｂ）本発明の実施の形態における携帯電話端末の第２の画面表示例の図（ｃ）本発明の実施の形態における携帯電話端末の第３の画面表示例の図
【図７】（ａ）本発明の実施の形態における携帯電話端末の第１の操作反応出力の図（ｂ）本発明の実施の形態における携帯電話端末の第２の操作反応出力例の図（ｃ）本発明の実施の形態における携帯電話端末の第３の操作反応出力例の図
【符号の説明】
【００７７】
１  携帯電話端末
１０  操作反応出力装置
２  入力装置
２０  操作入力通知
２１  入力デバイス管理部
２２  十字キー
２３  テンキー
２４  マイク
２４０  送話信号
３  計時手段
３０  時間情報
４  操作反応出力手段
４０  操作反応指示
４１  操作反応パターン蓄積手段
５  アプリケーション実行手段
５０  表示変化通知
５１  ウインドウ管理部
５１０  入力文字列
５２  メールアプリ
５２０  表示内容
６  出力手段
６１  出力デバイス管理部
６２  スピーカー
６２０  受話信号
６３  バイブレータ
６４  第１ＬＥＤ
６５  第２ＬＥＤ
７０  表示データ
７０１  ウインドウ
７０２  スクロールバー
７０３  カーソル
７１  表示デバイス管理部
７２  ＬＣＤ
８  無線通信部
８０１  送信メール
８０２  受信メール
Ｔ４１０  操作反応パターン表
【図１】
2006301994.tif 000003
【図２】
2006301994.tif 000004
【図３】
2006301994.tif 000005
【図４】
2006301994.tif 000006
【図５】
2006301994.tif 000007
【図６】
2006301994.tif 000008
【図７】
2006301994.tif 000009